(57)【特許請求の範囲】
【請求項１】
紙葉類を供給する供給手段と、
上記供給手段にて供給された紙葉類を搬送路上に取出す取出手段と、
上記取出手段にて取出された紙葉類を上記搬送路を介して搬送する搬送手段と、
上記搬送路上に設けられ、上記搬送手段にて搬送される紙葉類を検査し、該紙葉類が裁断されるべき紙葉類であるか否かを判断する検査手段と、
上記検査手段の下流側の上記搬送路上に設けられ、上記検査手段にて裁断すべき紙葉類であることが判断された紙葉類を裁断する裁断手段と、
上記裁断手段へ向けて搬送される紙葉類を計数する計数手段と、
上記計数手段にて紙葉類を計数したか否かを表示する表示手段と、
を備えていることを特徴とする紙葉類処理装置。
【請求項２】
紙葉類を供給する供給手段と、
上記供給手段にて供給された紙葉類を搬送路上に取出す取出手段と、
上記取出手段にて取出された紙葉類を上記搬送路を介して搬送する搬送手段と、
上記搬送路上に設けられ、上記搬送手段にて搬送される紙葉類を検査し、該紙葉類が裁断されるべき紙葉類であるか否かを判断する検査手段と、
上記検査手段の下流側の上記搬送路上に設けられ、上記検査手段にて裁断すべき紙葉類であることが判断された紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類が上記計数手段にて計数済みであるか否かを表示する表示手段と、
を備えていることを特徴とする紙葉類処理装置。
【請求項３】
紙葉類を供給する供給手段と、
上記供給手段にて供給された紙葉類を搬送路上に取出す取出手段と、
上記取出手段にて取出された紙葉類を上記搬送路を介して搬送する搬送手段と、
上記搬送路上に設けられ、上記搬送手段にて搬送される紙葉類を検査し、該紙葉類が裁断されるべき紙葉類であるか否かを判断する検査手段と、
上記検査手段の下流側の上記搬送路上に設けられ、上記検査手段にて裁断すべき紙葉類であることが判断された紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類が上記計数手段にて計数済みであるか否かを表示する表示手段と、
上記規制手段にて上記領域内の紙葉類へのアクセスを規制した状態で上記表示手段の確認を不能とし、上記規制手段による上記領域内の紙葉類へのアクセスの規制を解除した状態で上記表示手段の確認を可能とする手段と、
を備えていることを特徴とする紙葉類処理装置。
【請求項４】
紙葉類を供給する供給手段と、
上記供給手段にて供給された紙葉類を搬送路上に取出す取出手段と、
上記取出手段にて取出された紙葉類を上記搬送路を介して搬送する搬送手段と、
上記搬送路上に設けられ、上記搬送手段にて搬送される紙葉類を検査し、該紙葉類が裁断されるべき紙葉類であるか否かを判断する検査手段と、
上記検査手段の下流側の上記搬送路上に設けられ、上記検査手段にて裁断すべき紙葉類であることが判断された紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類にアクセス不能な閉塞位置と上記領域内の紙葉類にアクセス可能な開放位置との間で上記規制手段を開閉可能に設けられた開閉手段と、
上記領域内に設けられ、上記領域内の紙葉類が上記計数手段にて計数済みであるか否かを表示する表示手段と、
上記開閉手段に設けられ、上記開閉手段を上記閉塞位置に配置した状態で上記表示手段の確認を不能とし、上記開閉手段を上記開放位置に配置した状態で上記表示手段の確認を可能とするカバー手段と、
を備えていることを特徴とする紙葉類処理装置。
【請求項５】
裁断すべき紙葉類を搬送する搬送手段と、
上記搬送手段にて搬送される紙葉類を裁断する裁断手段と、
上記裁断手段へ向けて搬送される紙葉類を計数する計数手段と、
上記計数手段にて紙葉類を計数したか否かを表示する表示手段と、
を備えていることを特徴とする紙葉類裁断装置。
【請求項６】
裁断すべき紙葉類を搬送する搬送手段と、
上記搬送手段にて搬送される紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類が上記計数手段にて計数済みであるか否かを表示する表示手段と、
を備えていることを特徴とする紙葉類裁断装置。
【請求項７】
裁断すべき紙葉類を搬送する搬送手段と、
上記搬送手段にて搬送される紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類が上記計数手段にて計数済みであるか否かを表示する表示手段と、
上記規制手段にて上記領域内の紙葉類へのアクセスを規制した状態で上記表示手段の確認を不能とし、上記規制手段による上記領域内の紙葉類へのアクセスの規制を解除した状態で上記表示手段の確認を可能とする手段と、
を備えていることを特徴とする紙葉類裁断装置。
【請求項８】
裁断すべき紙葉類を搬送する搬送手段と、
上記搬送手段にて搬送される紙葉類を裁断する裁断手段と、
上記裁断手段へ向けて搬送される紙葉類を計数する計数手段と、
上記計数手段を含む上記裁断手段の直前までの領域を包囲し、該領域内の紙葉類へのアクセスを規制する規制手段と、
上記領域内の紙葉類にアクセス不能な閉塞位置と上記領域内の紙葉類にアクセス可能な開放位置との間で上記規制手段を開閉可能に設けられた開閉手段と、
上記領域内に設けられ、上記領域内の紙葉類が上記計数手段にて計数済みであるか否かを表示する表示手段と、
上記開閉手段に設けられ、上記開閉手段を上記閉塞位置に配置した状態で上記表示手段の確認を不能とし、上記開閉手段を上記開放位置に配置した状態で上記表示手段の確認を可能とするカバー手段と、
を備えていることを特徴とする紙葉類裁断装置。
【請求項９】
紙葉類を供給する供給工程と、
上記供給工程にて供給された紙葉類を搬送路上に取出す取出工程と、
上記取出工程にて取出された紙葉類を上記搬送路を介して搬送する搬送工程と、
上記搬送工程にて搬送される紙葉類を検査し、該紙葉類が裁断されるべき紙葉類であるか否かを判断する検査工程と、
上記検査工程にて裁断すべき紙葉類であることが判断された紙葉類を上記搬送路上に設けられた裁断装置により裁断する裁断工程と、
上記裁断装置へ向けて搬送される紙葉類を計数する計数工程と、
上記計数工程にて紙葉類を計数したか否かを表示する表示工程と、
を備えていることを特徴とする紙葉類処理方法。
【発明の詳細な説明】
【０００１】
【発明の属する技術分野】
この発明は、紙葉類裁断装置、およびこの紙葉類裁断装置を備えた紙葉類処理装置に関するものであり、特に、有価証券等の紙葉類を裁断処理するに適した紙葉類裁断装置、および紙葉類処理装置に関する。
【０００２】
【従来の技術】
従来、紙葉類処理装置として、複数枚の紙葉類を一枚づつ取出す取出部と、取出部にて取出された紙葉類を搬送路を介して所定の処理装置へ搬送する搬送部と、搬送路を介して搬送される紙葉類が裁断すべき紙葉類であるか否かを検査する検査部と、検査部にて裁断すべき紙葉類であることが判断された紙葉類を裁断する裁断装置と、を備えたものが知られている。尚、裁断装置の直前の搬送路上には、裁断装置に向けて搬送された紙葉類の枚数を計数するカウンタが設けられている。カウンタは、紙葉類の後端通過をもって紙葉類をカウントする。
【０００３】
しかして、取出部により取出された紙葉類は、搬送路を介して検査部へ搬送され、検査部における検査結果に従って処理される。例えば、検査部にて裁断すべき紙葉類であることが判断された紙葉類は、裁断装置へ向けて搬送され、カウンタによりカウントされた後、裁断装置にて裁断される。
【０００４】
この種の紙葉類処理装置において紙葉類のジャムを生じた場合、ジャム発生と同時に紙葉類処理装置が即座に停止されてジャム処理がなされる。この際、裁断装置直前に設けられたカウンタの近くの搬送路上に残留した紙葉類は、オペレーターにより再供給、或い裁断が判断され、この判断に従って処理される。つまり、カウンタの手前側の搬送路上に残留した紙葉類およびカウンタを通過中の紙葉類は、その後端がカウンタを通過していないものと判断できるため、再供給すべき紙葉類と判断され、カウンタを通り過ぎた搬送路上に残留した紙葉類はカウント済みの紙葉類と判断される。そして、再供給と判断された紙葉類が取出部を介して再供給され、カウント済みと判断された紙葉類が裁断装置において手動にて裁断される。
【０００５】
【発明が解決しようとする課題】
しかしながら、ジャム発生時に、例えば、カウンタの近くの搬送路上で紙葉類が何かに引っ掛かって破損し、或いは裁断装置の手前で紙葉類が搬送路から脱落した場合、紙葉類がカウント済みであるか否かの判断ができない。この場合、オペレーターの判断ミスにより、カウントされていない再供給すべき紙葉類を裁断し、或いはカウント済みの裁断すべき紙葉類を再供給してしまうといったオペレートミスを生じる問題がある。
【０００６】
この発明は、以上の点に鑑みなされたもので、その目的は、紙葉類のジャム処理時におけるオペレートミスがなく、紙葉類を確実に処理できる信頼性の高い紙葉類裁断装置、および紙葉類処理装置を提供することにある。
【０００７】
【課題を解決するための手段】
上記目的を達成するため、この発明の紙葉類処理装置は、紙葉類を供給する供給手段と、上記供給手段にて供給された紙葉類を搬送路上に取出す取出手段と、上記取出手段にて取出された紙葉類を上記搬送路を介して搬送する搬送手段と、上記搬送路上に設けられ、上記搬送手段にて搬送される紙葉類を検査し、該紙葉類が裁断されるべき紙葉類であるか否かを判断する検査手段と、上記検査手段の下流側の上記搬送路上に設けられ、上記検査手段にて裁断すべき紙葉類であることが判断された紙葉類を裁断する裁断手段と、上記裁断手段へ向けて搬送される紙葉類を計数する計数手段と、上記計数手段にて紙葉類を計数したか否かを表示する表示手段と、を備えている。
【０００８】
この紙葉類処理装置によると、裁断手段に向かう紙葉類を計数したか否かを表示する表示手段を有している。これにより、処理装置内で紙葉類のジャムを発生した場合、裁断手段に向かう途中で停止された紙葉類が裁断する紙葉類として計数済みであるか否かを容易に判断でき、裁断すべき紙葉類を再供給し、或いは再供給すべき紙葉類を裁断するといったオペレートミスを生じることがなく、紙葉類を確実に処理できる。
【０００９】
また、この発明の紙葉類処理装置は、紙葉類を供給する供給手段と、上記供給手段にて供給された紙葉類を搬送路上に取出す取出手段と、上記取出手段にて取出された紙葉類を上記搬送路を介して搬送する搬送手段と、上記搬送路上に設けられ、上記搬送手段にて搬送される紙葉類を検査し、該紙葉類が裁断されるべき紙葉類であるか否かを判断する検査手段と、上記検査手段の下流側の上記搬送路上に設けられ、上記検査手段にて裁断すべき紙葉類であることが判断された紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類が上記計数手段にて計数済みであるか否かを表示する表示手段と、を備えている。
【００１０】
この紙葉類処理装置によると、計数手段を含む裁断手段の直前までの領域を包囲し、この領域内の紙葉類へのアクセスを規制する規制手段を備えている。これにより、紙葉類のジャム処理時において、上記領域内の紙葉類のみ計数済みであるか否かの判断の対象となるため、処理装置全体の信頼性を向上できる。
【００１１】
また、この発明の紙葉類処理装置は、紙葉類を供給する供給手段と、上記供給手段にて供給された紙葉類を搬送路上に取出す取出手段と、上記取出手段にて取出された紙葉類を上記搬送路を介して搬送する搬送手段と、上記搬送路上に設けられ、上記搬送手段にて搬送される紙葉類を検査し、該紙葉類が裁断されるべき紙葉類であるか否かを判断する検査手段と、上記検査手段の下流側の上記搬送路上に設けられ、上記検査手段にて裁断すべき紙葉類であることが判断された紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類が上記計数手段にて計数済みであるか否かを表示する表示手段と、上記規制手段にて上記領域内の紙葉類へのアクセスを規制した状態で上記表示手段の確認を不能とし、上記規制手段による上記領域内の紙葉類へのアクセスの規制を解除した状態で上記表示手段の確認を可能とする手段と、を備えている。
【００１２】
この紙葉類処理装置によると、規制手段により上記領域内の紙葉類へのアクセスを規制した状態で上記表示手段の確認を不能とし、紙葉類へのアクセス規制を解除した状態で上記表示手段の確認を可能とする手段を有している。これにより、紙葉類のジャム処理時に、規制手段による規制を解除して初めて表示手段を確認することができ、第三者による紙葉類の状態の判断を不可能とし、処理装置全体の信頼性を更に向上できる。
【００１３】
また、この発明の紙葉類処理装置は、紙葉類を供給する供給手段と、上記供給手段にて供給された紙葉類を搬送路上に取出す取出手段と、上記取出手段にて取出された紙葉類を上記搬送路を介して搬送する搬送手段と、上記搬送路上に設けられ、上記搬送手段にて搬送される紙葉類を検査し、該紙葉類が裁断されるべき紙葉類であるか否かを判断する検査手段と、上記検査手段の下流側の上記搬送路上に設けられ、上記検査手段にて裁断すべき紙葉類であることが判断された紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類にアクセス不能な閉塞位置と上記領域内の紙葉類にアクセス可能な開放位置との間で上記規制手段を開閉可能に設けられた開閉手段と、上記領域内に設けられ、上記領域内の紙葉類が上記計数手段にて計数済みであるか否かを表示する表示手段と、上記開閉手段に設けられ、上記開閉手段を上記閉塞位置に配置した状態で上記表示手段の確認を不能とし、上記開閉手段を上記開放位置に配置した状態で上記表示手段の確認を可能とするカバー手段と、を備えている。
【００１４】
この紙葉類処理装置によると、上記領域内の紙葉類にアクセス不能な閉塞位置と上記領域内の紙葉類にアクセス可能な開放位置との間で開閉可能に設けられたい開閉手段を有している。また、開閉手段は、閉塞位置に配置された際に表示手段をカバーし、開放位置に配置された際に表示手段を表示可能とするカバー手段を有している。従って、紙葉類のジャム処理時に、カバー手段を開放することによってのみ表示手段を確認することができ、第三者による紙葉類の状態の判断を不可能とし、処理装置全体の信頼性を向上できる。
【００１５】
また、この発明の紙葉類裁断装置は、裁断すべき紙葉類を搬送する搬送手段と、上記搬送手段にて搬送される紙葉類を裁断する裁断手段と、上記裁断手段へ向けて搬送される紙葉類を計数する計数手段と、上記計数手段にて紙葉類を計数したか否かを表示する表示手段と、を備えている。
【００１６】
この紙葉類裁断装置によると、裁断手段に向かう紙葉類を計数したか否かを表示する表示手段を有している。これにより、裁断装置内で紙葉類のジャムを発生した場合、裁断手段に向かう途中で停止された紙葉類が裁断する紙葉類として計数済みであるか否かを容易に判断でき、裁断すべき紙葉類を再供給し、或いは再供給すべき紙葉類を裁断するといったオペレートミスを生じることがなく、紙葉類を確実に処理できる。
【００１７】
また、この発明の紙葉類裁断装置は、裁断すべき紙葉類を搬送する搬送手段と、上記搬送手段にて搬送される紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類が上記計数手段にて計数済みであるか否かを表示する表示手段と、を備えている。
【００１８】
この紙葉類裁断装置によると、計数手段を含む裁断手段の直前までの領域を包囲し、この領域内の紙葉類へのアクセスを規制する規制手段を備えている。これにより、紙葉類のジャム処理時において、上記領域内の紙葉類のみ計数済みであるか否かの判断の対象となるため、裁断装置全体の信頼性を向上できる。
【００１９】
また、この発明の紙葉類裁断装置は、裁断すべき紙葉類を搬送する搬送手段と、上記搬送手段にて搬送される紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類が上記計数手段にて計数済みであるか否かを表示する表示手段と、上記規制手段にて上記領域内の紙葉類へのアクセスを規制した状態で上記表示手段の確認を不能とし、上記規制手段による上記領域内の紙葉類へのアクセスの規制を解除した状態で上記表示手段の確認を可能とする手段と、を備えている。
【００２０】
この紙葉類裁断装置によると、規制手段により上記領域内の紙葉類へのアクセスを規制した状態で上記表示手段の確認を不能とし、紙葉類へのアクセス規制を解除した状態で上記表示手段の確認を可能とする手段を有している。これにより、紙葉類のジャム処理時に、規制手段による規制を解除して初めて表示手段を確認することができ、第三者による紙葉類の状態の判断を不可能とし、裁断装置全体の信頼性を更に向上できる。
【００２１】
また、この発明の紙葉類裁断装置は、裁断すべき紙葉類を搬送する搬送手段と、上記搬送手段にて搬送される紙葉類を裁断する裁断手段と、上記裁断手段へ向けて搬送される紙葉類を計数する計数手段と、上記計数手段を含む上記裁断手段の直前までの領域を包囲し、該領域内の紙葉類へのアクセスを規制する規制手段と、上記領域内の紙葉類にアクセス不能な閉塞位置と上記領域内の紙葉類にアクセス可能な開放位置との間で上記規制手段を開閉可能に設けられた開閉手段と、上記領域内に設けられ、上記領域内の紙葉類が上記計数手段にて計数済みであるか否かを表示する表示手段と、上記開閉手段に設けられ、上記開閉手段を上記閉塞位置に配置した状態で上記表示手段の確認を不能とし、上記開閉手段を上記開放位置に配置した状態で上記表示手段の確認を可能とするカバー手段と、を備えている。
【００２２】
この紙葉類裁断装置によると、上記領域内の紙葉類にアクセス不能な閉塞位置と上記領域内の紙葉類にアクセス可能な開放位置との間で開閉可能に設けられたい開閉手段を有している。また、開閉手段は、閉塞位置に配置された際に表示手段をカバーし、開放位置に配置された際に表示手段を表示可能とするカバー手段を有している。従って、紙葉類のジャム処理時に、カバー手段を開放することによってのみ表示手段を確認することができ、第三者による紙葉類の状態の判断を不可能とし、裁断装置全体の信頼性を向上できる。
【００２３】
更に、この発明の紙葉類処理方法は、紙葉類を供給する供給工程と、上記供給工程にて供給された紙葉類を搬送路上に取出す取出工程と、上記取出工程にて取出された紙葉類を上記搬送路を介して搬送する搬送工程と、上記搬送工程にて搬送される紙葉類を検査し、該紙葉類が裁断されるべき紙葉類であるか否かを判断する検査工程と、上記検査工程にて裁断すべき紙葉類であることが判断された紙葉類を上記搬送路上に設けられた裁断装置により裁断する裁断工程と、上記裁断装置へ向けて搬送される紙葉類を計数する計数工程と、上記計数工程にて紙葉類を計数したか否かを表示する表示工程と、を備えている。
【００２４】
【発明の実施の形態】
以下、図面を参照しながらこの発明の実施の形態について詳細に説明する。
図１は、この発明の紙葉類処理装置１（以下、単に処理装置１と称する）を概略的に示している。この図は、複数枚の紙葉類を積層した紙葉類群Ｓから紙葉類を１枚づつ取出して、計測、検査し、適、不適、排出の３様に分類し、排出紙葉類については搬送される都度、裁断装置（後述する）によって裁断、排出する処理装置１を示している。
【００２５】
処理装置１は、処理すべき紙葉類を複数枚積層した紙葉類群Ｓを載置するホッパー２（供給手段）、ホッパー２の上方の所定位置に配置され、紙葉類群Ｓの最上の紙葉類から一葉づつ取出す取出ロータ４（取出手段）、取出ロータ４により取出された紙葉類を搬送する搬送路６（搬送手段）、および、搬送路６を介して搬送される紙葉類を検査し、紙葉類を適、不適、排出の３様に分類するための複数のセンサから成るセンサシステム８（検査手段）を有している。
【００２６】
センサシステム８より下流側の搬送路６は、センサシステム８による検査結果に従って紙葉類を所定の処理装置へ搬送すべく複数の方向に分岐されている。分岐された各搬送路の端部には、センサシステム８において適として分類された紙葉類（適紙葉類）を積層する第１積層部１１、センサシステム８において不適として分類された紙葉類（不適紙葉類）を積層する第２積層部１２、センサシステム８において排出に分類された紙葉類（排出紙葉類）または（必要に応じて）不適紙葉類を裁断処理する裁断装置２０（裁断手段）、および、センサシステム８において適、不適、排出のいずれにも分類されなかった紙葉類を積層する第３積層部１３がそれぞれ接続されている。尚、搬送路６の各分岐位置には、紙葉類の搬送方向をセンサシステム８の分類結果に従って所定の方向に振り分けるための第１乃至第３ゲート１５、１６、１７がそれぞれ配設されている。
【００２７】
第１および第２積層部１１、１２の下方の所定位置には、それぞれの積層部にて積層した紙葉類を所定枚数、例えば１００枚毎にバンドで施封するためのバンダー１３、１４が配設されている。各バンダー１３、１４の下方であって処理装置１の底部には、バンダーを介して施封された紙葉類の束を処理装置１の外部へ搬出する搬出コンベア１８が設けられている。
【００２８】
裁断装置２０は、裁断した紙葉類の裁断片を排出するための気送管２２を有し、処理装置１に隣接する位置には、気送管２２を介して排出された裁断片を収集する収集箱２４が配設されている。
【００２９】
上記のように構成された処理装置１は、以下のように作動される。
まず、ホッパー２内に紙葉類群Ｓが投入され、取出ロータ４が回転されて最上の紙葉類が搬送路６上に取出される。取出ロータ４は、引続き回転されて複数の紙葉類が搬送路６上に一葉づつ順に取出される。
【００３０】
搬送路６上に取出された紙葉類は、センサシステム８によって検査され、適紙葉類、不適紙葉類、排出紙葉類のいずれかに分類される。この際、センサシステム８における分類結果に従って第１乃至第３ゲート１５、１６、１７がそれぞれ所定のタイミングで所定方向に切換えられる。そして、適紙葉類が第１積層部１１へ積層され、不適紙葉類が第２積層部１２へ積層され、排出紙葉類が裁断装置２０にて裁断される。尚、センサシステム８において上述した３様のいずれにも分類できなかった紙葉類は、第３積層部１３へ搬送されて積層され、オペレーターにより処理される。
【００３１】
第１および第２積層部１１、１２に積層された紙葉類は、バンダー１３、１４にて１００枚づつ施封され、搬出コンベア１８を介して処理装置１の外へ搬出される。一方、裁断装置２０に送られた紙葉類は、ここで細かい裁断片に裁断され、気送管２２を介して収集箱２４に送られて収集される。
【００３２】
次に、上記裁断装置２０について詳細に説明する。
図２に示すように、裁断装置２０は、第２ゲート１６を介して搬送路６から分岐された裁断搬送路６ａ上に配設されている。
【００３３】
第２ゲート１６の上流側であって第２ゲート１６の直前の搬送路６上には、第１センサとしてのセンサＡが配設されている。センサＡは、搬送路６を横切る光軸を有する発光部および受光部を有し、発光部からの光が受光部にて受光されない場合、つまり紙葉類の通過によりセンサＡの光軸が遮断される場合にオンされ、紙葉類の通過を検知するようになっている。
【００３４】
裁断装置２０内であって第２ゲート１６の下流側の裁断搬送路６ａ上には、第２センサとしてのセンサＢ、第３センサ、即ち計数手段としてのセンサＣ、および一対の裁断刃２１を有する裁断部２５、が紙葉類の搬送方向に沿って順に配設されている。尚、センサＢおよびＣは、センサＡと同様に構成され、両者間の距離は、搬送される紙葉類が両方のセンサＢおよびＣにより同時に検知されることのない値に設定されている。また、センサＣを含む裁断部２５の直前までの領域は、施錠可能なセキュリティーボックス３０（規制手段）により包囲されており、施錠を外さない限りこの領域には外部からアクセスすることができないようになっている。
【００３５】
図３（ａ）はセキュリティーボックス３０のドア３１を閉じた状態を示し、図３（ｂ）はセキュリティーボックス３０のドア３１を開放した状態を示している。セキュリティーボックス３０のドア３１（開閉手段）は、透明な部材により形成され、図示しないヒンジ等を介してセキュリティーボックス３０の一端部に回動自在に取付けられている。従って、セキュリティーボックス３０内部は、ドア３１を閉じた状態（図３ａに示す状態）で外部から視認できるようになっている。
【００３６】
セキュリティーボックス３０のドア３１には錠３２が設けられており、セキュリティーボックス３０の他端部にはドアの開閉により作動される開閉スイッチ３３が設けられている。尚、セキュリティーボックス３０は、処理装置１の管理責任者によってのみアクセスが許されており、錠３２は管理責任者によってのみ開錠できるようになっている。
【００３７】
また、セキュリティーボックス３０内であって、ドア３１が取付けられた図示しないヒンジ部近くには、セキュリティーボックス３０内のセンサＣと連動され、センサＣによる紙葉類後端の通過検知の有無（後述する裁断カウンタにより紙葉類を計数したか否か）を表示する表示手段としてのＬＥＤ３５が配設されている。ＬＥＤ３５の近傍には、ＬＥＤ３５に作動不良がないかどうかを確認するためのオン・オフスイッチ３６が設けられている。このオン・オフスイッチ３６は、セキュリティーボックス３０のドア３１を開放した際にＬＥＤ３５が消えている場合にＬＥＤ３５が故障していないことを確認するために押圧される。
【００３８】
更に、図示しないヒンジ部近くのドア３１側には、ドア３１が閉じた状態でＬＥＤ３５の点滅状態が見えないようにＬＥＤ３５を覆い隠すためのカバー３７（カバー手段）が設けられている。これにより、ドア３１を閉じた状態で、第三者によりＬＥＤ３５が見られることが防止され、管理責任者によりドア３１を開けた場合にのみ、管理責任者の立会のもとでＬＥＤ３５の点滅を確認できるようになる。
【００３９】
次に、上記のように構成された裁断装置２０の制御系について説明する。
図４に示すように、裁断装置２０の制御系は、制御手段としてのコントロール／ドライバー基板４０（以下、単に基板４０と称する）を備えている。基板４０には、処理装置１とは独立した電源４１が接続されている。
【００４０】
また、基板４０には、紙葉類の通過を検知するセンサＡ、Ｂ、Ｃ、第２ゲート１６を所定の方向へ切換えるソレノイド４２、裁断刃２１を回転させるモータ４３、および裁断搬送路６ａの搬送ローラ６１を回転させるモータ４４が接続されている。
【００４１】
更に、基板４０には、セーフティーボックス３０のドア３１の開閉状態を検知する開閉スイッチ３３、裁断装置２０に向かう排出紙葉類を裁断済みとしてカウントしたか否かを表示するＬＥＤ３５、ＬＤＥ３５が正常に動作しているか否かを確認するためのオン・オフスイッチ３６、各センサＡ、Ｂ、Ｃによる紙葉類先端の検知回数をカウントする先端カウンタ４５ａ、４５ｂ、４５ｃ、紙葉類の後端がセンサＣを通過した際に紙葉類の裁断枚数としてカウントする裁断カウンタ４６、および紙葉類の各位置における通過時間を計測するタイマ４７が接続されている。
【００４２】
次に、上記のように構成された裁断装置２０における紙葉類の処理動作について図５に示すフローチャートを用いて説明する。尚、説明の便宜上、先端カウンタ４５ａにてカウントした紙葉類先端がセンサＡを通過した回数をＮA 、先端カウンタ４５ｂにてカウントした紙葉類先端がセンサＢを通過した回数をＮB 、先端カウンタ４５ｃにてカウントした紙葉類先端がセンサＣを通過した回数をＮC 、裁断カウンタ４６にてカウントした紙葉類後端がセンサＣを通過した回数をＮD として説明する。
【００４３】
紙葉類が裁断装置２０に向けて搬送されると、搬送路６上のセンサＡに紙葉類の先端が到達したか否かが判断される（ステップ１）。ステップ１にて紙葉類の先端がセンサＡに到達したことが判断されると、センサシステム８による分類結果に基づいて、センサＡに到達された紙葉類が排出紙葉類であるか否かが判断される（ステップ２）。
【００４４】
ステップ２にてセンサＡに到達された紙葉類が排出紙葉類ではないことが判断されると、搬送路６が第１および第２積層部１１、１２の方向へ接続されるように第２ゲート１６が切換えられ（ステップ３）、当該紙葉類が第１または第２積層部１１、１２に向けて搬送されて積層される。
【００４５】
一方、ステップ２にてセンサＡに到達された紙葉類が排出紙葉類であることが判断されると、先端カウンタ４５ａにより排出紙葉類の先端通過１がカウントされる（ステップ４）。そして、先端カウンタ４５ａによるカウント数ＮA が（センサＢにおける紙葉類の先端通過をカウントする）先端カウンタ４５ｂによるカウント数ＮB と比較され、ＮA ＝ＮB ＋１であるか否かが判断される（ステップ５）。
【００４６】
ステップ５にてＮA ＝ＮB ＋１ではないことが判断されると、計数ジャムが判断され、裁断搬送路６ａを含む搬送路６を搬送中の紙葉類の搬送が停止される（ステップ６）。一方、ステップ５にてＮA ＝ＮB ＋１であることが判断されると、搬送路６が裁断装置２０に接続されるように第２ゲート１６が切換えられ（ステップ７）、排出紙葉類が裁断装置２０に向けて搬送される。
【００４７】
ステップ７にて第２ゲートを切換えた直後にタイマ４７がオンされ（ステップ８）、第２ゲート１６を切換えてから紙葉類の先端がセンサＢに到達されるまでの時間が計測され、予め用意した基準時間を超えるか否かが判断される（ステップ９）。そして、センサＢに紙葉類の先端が到達したか否かが判断され（ステップ１０）、基準時間内にセンサＢに紙葉類の先端が到達されない場合、センサＡとセンサＢとの間の裁断搬送路６ａ上での搬送ジャムが判断され、裁断搬送路６ａを含む搬送路６を搬送中の紙葉類の搬送が停止される（ステップ１１）。
【００４８】
一方、基準時間内にセンサＢに紙葉類の先端が到達されると、先端カウンタ４５ｂにより排出紙葉類の先端通過１がカウントされる（ステップ１２）。そして、先端カウンタ４５ｂによるカウント数ＮB が先端カウンタ４５ａによるカウント数ＮA および（センサＣにおける紙葉類の先端通過をカウントする）先端カウンタ４５ｃによるカウント数ＮC とそれぞれ比較され、ＮB ＝ＮA であるか否かが判断される（ステップ１３）とともに、ＮB ＝ＮC ＋１であるか否かが判断される（ステップ１４）。
【００４９】
ステップ１３にてＮB ＝ＮA ではないことが判断され、および／或いはステップ１４にてＮB ＝ＮC ＋１ではないことが判断されると、計数ジャムが判断され、裁断搬送路６ａを含む搬送路６を搬送中の紙葉類の搬送が停止される（ステップ１５）。一方、ステップ１３にてＮB ＝ＮA であることが判断され、且つステップ１４にてＮB ＝ＮC ＋１であることが判断されると、紙葉類の搬送が続行されるとともにタイマ４７がオンされ（ステップ１６）、紙葉類の先端がセンサＢを通過してからセンサＣを通過するまでの時間が計測され、予め用意した基準時間を超えるか否かが判断される（ステップ１７）。
【００５０】
そして、センサＣに紙葉類の先端が到達したか否かが判断され（ステップ１８）、基準時間内にセンサＣに紙葉類の先端が到達されない場合、センサＢとセンサＣとの間の裁断搬送路６ａ上での搬送ジャムが判断され、裁断搬送路６ａを含む搬送路６を搬送中の紙葉類の搬送が停止される（ステップ１９）。
【００５１】
一方、基準時間内にセンサＣに紙葉類の先端が到達されると、ＬＥＤ３５が点灯される（ステップ２０）とともに、先端カウンタ４５ｃにより排出紙葉類の先端通過１がカウントされる（ステップ２１）。そして、先端カウンタ４５ｃによるカウント数ＮC が先端カウンタ４５ｂのカウント数ＮB と比較され、ＮC ＝ＮB であるか否かが判断される（ステップ２２）。
【００５２】
ステップ２２にてＮC ＝ＨB ではないことが判断されると、計数ジャムが判断され、裁断搬送路６ａを含む搬送路６を搬送中の紙葉類の搬送が停止される（ステップ２３）。一方、ステップ２２にてＮC ＝ＮB であることが判断されると、タイマ４７がオンされ（ステップ２４）、紙葉類の先端がセンサＣに到達されてから紙葉類の後端がセンサＣを通過するまでの時間が計測され、予め用意した基準時間を超えるか否かが判断される（ステップ２５）。
【００５３】
そして、センサＣを紙葉類の後端が通過したか否かが判断され（ステップ２６）、基準時間内にセンサＣを紙葉類の後端が通過しない場合、センサＣ近傍での搬送ジャムが判断され、裁断搬送路６ａを含む搬送路６を搬送中の紙葉類の搬送が停止される（ステップ２７）。
【００５４】
一方、基準時間内にセンサＣを紙葉類の後端が通過されると、ＬＥＤ３５が消灯される（ステップ２８）とともに、裁断カウンタ４６により排出紙葉類の“裁断”１がカウントされる（ステップ２９）。そして、裁断カウンタ４６によるカウント数ＮD が先端カウンタ４５ｃのカウント数ＮC と比較され、ＮD ＝ＮC であるか否かが判断される（ステップ３０）。
【００５５】
ステップ３０にてＮD ＝ＮC ではないことが判断されると、計数ジャムが判断され、裁断搬送路６ａを含む搬送路６を搬送中の紙葉類の搬送が停止される（ステップ３１）。一方、ステップ３０にてＮD ＝ＮC であることが判断されると、当該紙葉類が裁断刃２１を通過されて裁断され（ステップ３２）、その裁断片が気送管２２を介して収集箱２４へ送られて収集される。
【００５６】
ところで、上記ステップ６、１５、２３、３１に示すように計数ジャムが発生し、或いは上記ステップ１１、１９、２７に示すように搬送ジャムが発生し、紙葉類の搬送が停止されると、ジャム処理の一環として、セキュリティーボックス３０のドア３１が開放されてセキュリティーボックス３０内の紙葉類のジャム処理が成される。
【００５７】
本発明においては、セキュリティーボックス３０のドア３１を開放する前に、透明なドア３１を介してセキュリティーボックス３０内に紙葉類のジャムが発生しているか否かを確認し、ジャムが発生していることが確認された場合に管理責任者によりセキュリティーボックス３０のドア３１が開放される。ドア３１を開けると同時にＬＥＤ３５のカバー３７が開放され、管理責任者の立会のもとでＬＥＤ３５の点滅状態が確認される。
【００５８】
ドア３１を開放した際にＬＥＤ３５が点灯している場合、紙葉類が裁断カウンタ４６によりカウントされていないことを判断し、当該紙葉類をホッパー２に再供給し、ＬＥＤ３５が消灯されている場合、紙葉類が裁断カウンタ４６によりカウント済みであることを判断し、当該紙葉類を手動にて裁断部２５へ送り裁断処理している。尚、ドア３１を開放した際にＬＥＤ３５が消えている場合には、管理責任者がオン・オフスイッチ３６を押圧し、ＬＥＤ３５が故障していないことを確認する。
【００５９】
以上のように、裁断装置２０内における紙葉類のジャム処理時に、ＬＥＤ３５の点滅状態に応じて紙葉類を取り扱うことにより、カウント済みの紙葉類をホッパー２に再供給し、或いはカウントされていない紙葉類を裁断するといったオペレートミスを無くすことができ、紙葉類を確実に処理することができる。
【００６０】
また、紙葉類の取り扱いの判断を要するセンサＣから裁断刃２１までの領域をセキュリティーボックス３０により包囲し、セキュリティーボックス３０のドア３１を閉じた状態でＬＥＤ３５を隠すカバー３７を設けたため、管理責任者がドア３１を開けて初めてセキュリティーボックス３０内に残留した紙葉類の状態を判断できるとともに紙葉類を取り扱うことができ、処理装置１全体としての信頼性を向上できる。
尚、この発明は、上述した実施の形態に限定されるものではなく、この発明の範囲内で種々変形可能である。
【００６１】
【発明の効果】
以上説明したように、この発明の紙葉類裁断装置および紙葉類処理装置は、上記のような構成および作用を有しているので、紙葉類のジャム処理時におけるオペレートミスの危険性がなく、紙葉類を確実に処理でき、高い信頼性を有している。
【図面の簡単な説明】
【図１】図１は、この発明の紙葉類処理装置を示す概略図。
【図２】図２は、図１の紙葉類処理装置に組込まれた紙葉類裁断装置を示す概略図。
【図３】図３は、図２の紙葉類裁断装置に組込まれたセキュリティーボックスのドアの開閉状態を示す図。
【図４】図４は、図２の紙葉類裁断装置の制御系を示すブロック図。
【図５】図５は、図２の紙葉類裁断装置における処理動作を説明するためのフローチャート。
【図６】図６は、図２の紙葉類裁断装置における処理動作を説明するためのフローチャート。
【符号の説明】
１…紙葉類処理装置、
２…ホッパー、
４…取出ロータ、
６…搬送路、
６ａ…裁断搬送路、
８…センサシステム、
１５、１６、１７…第１乃至第３ゲート、
２０…裁断装置、
２１…裁断刃、
２２…気送管、
２４…収集箱、
２５…裁断部、
３０…セキュリティーボックス、
３１…ドア、
３３…開閉スイッチ、
３５…ＬＥＤ、
３６…オン・オフスイッチ、
３７…カバー、
４０…基板、
４１…電源、
４５ａ、４５ｂ、４５ｃ…先端カウンタ、
４６…裁断カウンタ、
４７…タイマ。
【図１】
0003540526.tif 000002
【図２】
0003540526.tif 000003
【図３】
0003540526.tif 000004
【図４】
0003540526.tif 000005
【図５】
0003540526.tif 000006
【図６】
0003540526.tif 000007